(57)【特許請求の範囲】
【請求項１】
少なくとも火災報知器、火災感知器を含む端末機器と、前記端末機器を動作させて火災検出及び火災時の処理を行う火災受信機とを信号線で接続し、また、複数の火災受信機をＬＡＮで接続して、前記火災受信機間で信号のやりとりを行う火災報知システムであって、
各火災受信機において、別の火災受信機から火災を検出した旨の信号である火災信号が送信され、前記火災信号に対する応答の旨の信号である応答信号を送信する際、
前記別の火災受信機に対する前記応答信号を送信する前に、さらに他の火災受信機からも前記火災信号が送信されると、
それらの火災受信機に対して、共通して応答できる応答信号を作成し、前記ＬＡＮを介して送信することを特徴とする火災報知システム。
【請求項２】
前記共通して応答できる応答信号には、全ての火災受信機を送信先として指定するデータが含まれるとともに、前記火災信号の送信元についての情報のデータが含まれることを特徴とする請求項１記載の火災報知システム。
【発明の詳細な説明】
【０００１】
【発明の属する技術分野】
本発明は、火災報知システムに関するものである。特に複数の火災受信機から火災に関するデータ信号が送信された場合に、応答に関するデータ信号を火災受信機が送信する際の処理方法に関するものである。
【０００２】
【従来の技術】
現在、防災範囲の拡大、詳細なデータ（情報）収集の必要性等により、火災報知がシステム化されている。その際、複数の火災感知器、報知器等と火災受信機とを接続し、火災受信機が火災警報に関する処理を行っている。また、複数の火災受信機をそれぞれＬＡＮ（Local Area Network）により接続し、データ信号（以下、単に信号という）のやりとりを行わせてデータを共有させる。このようにして火災報知システムが構成されている。
【０００３】
信号の送信には２通りある。１つは、ある火災受信機が他の１つの火災受信機に信号を送信する場合である。もう１つは、ある火災受信機が、ＬＡＮに接続する他の全ての火災受信機に対して信号を送信する、いわゆるグローバルな送信の場合である。ここでは特にグローバルな送信について説明する。ある火災受信機がグローバルな送信を行うと、他の火災受信機は、その信号を正確に受信したことを示すために応答のデータ信号（以下、応答信号という）を送信する。
【０００４】
図３は従来のＬＡＮ上に送信される信号を表す図である。図３では５台の火災受信機がＬＡＮに接続されているものとして説明する。図３（１）は火災受信機＃１が送信先として全ての火災受信機を指定して送信するグローバルな火災信号に対して、各火災受信機が個別に火災受信機＃１に応答信号を送信したことを表している。この場合、５つの信号（火災信号１、応答信号４）がＬＡＮ上に送信されることになる。図３（２）は、火災受信機＃１がグローバルな火災信号を送信し、その後、火災受信機＃２も同様にグローバルな火災信号を送信したことを表している。ここで、火災信号の方が応答信号よりも優先される。そのため、火災受信機＃１が送信した火災信号に全ての火災受信機が応答信号を送信し終わる前に、火災受信機＃２による火災信号が送信されている。そして、それぞれの応答信号には特に優先順位はないので、火災受信機＃１が送信した火災信号に対する応答信号よりも前に火災受信機＃２が送信した火災信号に対する応答信号の方が先に送信される場合もある。この場合、１０個の信号（火災信号２、応答信号８）がＬＡＮ上に送信されることになる。図３（３）は５台の火災受信機が送信したグローバルな火災信号に対して、各火災受信機が応答信号を送信したことを表している。ここでは、説明を簡略化するために、各応答信号は順序よくＬＡＮに送信されているが、実際には、前述したようにそれぞれの応答信号には特に優先順位はないので順序よく送信されない場合がある。この場合では、２５個の信号（火災信号５、応答信号２０）がＬＡＮ上に送信されることになる。
【０００５】
【発明が解決しようとする課題】
ここで例えば６４台の火災受信機がＬＡＮで接続されているとする。１台の火災受信機がグローバルな火災信号を送信すると、残りの６３台の火災受信機が火災信号に対する応答信号を送信する（全ての信号数は６４）ことになる。また、引き続いて、他の火災受信機がグローバルな火災信号を送信すると、また、残りの６３台の火災受信機が応答信号を送信する。このようにして、次々と全ての火災受信機が火災情報を送信すると、全部で４０９６（＝６４×６４）の信号がＬＡＮ上でやりとりされることになる。実際に、火災警報のために報知器を鳴動させる場合、通常は必要な地区に対して行われるが、必要に応じて全ての報知器を一斉に鳴動させることもある。その際には、ＬＡＮ上の信号の状態は、上述したことと同じ状態となる。
【０００６】
このような大量の信号の中でも、火災情報の信号は他の信号に優先して送信するように各火災受信機は設定されている。ただ、大量に信号が送信されると、ＬＡＮ上で信号同士が衝突してデータが壊れる可能性が大きく、信号の再送処理をしなければならない。また、それらの信号を受信した後の処理が煩雑となる。そのような無駄な信号のために、最悪の結果を考慮した処理能力を満たす火災受信機が要求されることになる。
【０００７】
そこで、本発明はこのような問題を解決し、ＬＡＮによりやりとりされる信号量をできるだけ少なくすることができる火災報知システムを得ることを目的とする。
【０００８】
【課題を解決するための手段】
本出願に係る火災報知システムは、少なくとも火災報知器、火災感知器を含む端末機器と、前記端末機器を動作させて火災検出及び火災時の処理を行う火災受信機とを信号線で接続し、また、複数の火災受信機をＬＡＮで接続して、前記火災受信機間で信号のやりとりを行う火災報知システムであって、各火災受信機において、別の火災受信機から、火災を検出した旨の信号である火災信号が送信され、火災信号に対する応答の旨の信号である応答信号を送信する際、別の火災受信機に対する前記応答信号を送信する前に、さらに他の火災受信機からも火災信号が送信されると、それらの火災受信機に対して、共通して応答できる応答信号を作成し、ＬＡＮを介して送信する。
本発明のように複数の火災受信機をＬＡＮ接続した火災報知システムにおいては、各火災受信機では、別の火災受信機から火災信号が送信されると、その火災信号に対して応答信号を送信する。その応答信号を送信する前に、さらに他の火災受信機からも火災信号が送信されると、それぞれに応答信号を作成して送信するのではなく、共通して応答できる応答信号を１つ作成してＬＡＮを介して送信し、ＬＡＮ上でやりとりされる信号を減らす。
【０００９】
また、本出願に係る火災報知システムにおいて、共通して応答できる応答信号には、全ての火災受信機を送信先として指定するデータが含まれるとともに、火災信号の送信元についての情報のデータが含まれる。
本発明の火災報知システムにおいて、受信した火災信号に基づいて火災受信機が応答信号を送信する際に、その応答信号の送信先としてＬＡＮ接続された全ての火災受信機を指定し、その信号には、火災信号を送信してきた送信元の火災受信機のデータを含ませておいて、送信先を特に特定しなくても火災信号に対する応答を行えるようにする。
【００１０】
【発明の実施の形態】
実施形態１．
図１は本発明の第１の実施の形態に係る火災報知システムを表す図である。図において、＃１、＃２、＃３、＃４、＃５は火災受信機である。各火災受信機は、ＬＡＮ１０と接続しており、それぞれＬＡＮ１０を介してデータ信号のやりとりを行う。ＬＡＮに接続している火災受信機には別の番号を割り当てているが、各火災受信機は同一の構成をしている。ＬＡＮ１０は、例えばＲＳ４８５の規格に基づくものである。１００−＃１〜１００−＃５は、それぞれの火災受信機と接続している端末機器群である。図１に示している端末機器群は火災感知器（センサ）、火災報知器（ベル）、防排煙機器を表している。本実施の形態ではこれらを特に区別する必要はない。
【００１１】
従来は、各火災信号に対して応答信号を個別に作成し、送信していた。本実施の形態は、送信する前に受信した火災信号に対して複合させた応答信号を作成して送信するようにしたものである。火災受信機＃１〜＃５は、受信した火災信号に基づいて応答信号を作成するが、送信前に別の火災信号を受信すると、作成した応答信号を破棄して新たに応答信号を作成して送信するようにする。
【００１２】
図２はＬＡＮ上に送信される信号を表す図である。図２でも火災受信機＃１〜＃５が火災信号を送信するタイミングは図３と同じである。図２（１）のような場合は、火災信号が１つしか送信されていないので、特に今までと変わることなく、５つの信号（火災信号１、応答信号４）がＬＡＮ上に送信されることになる。ただ、従来は火災信号を送信してきた火災受信機を応答信号の送信先にしていたが、これを全ての火災受信機に対して送信するようにする。
【００１３】
図２（２）のような場合は、火災受信機＃２が火災信号を送信する前に、火災受信機＃１が送信した火災信号に対して火災受信機＃２及び火災受信機＃３が応答信号を送信した。そのため、それらの応答信号には火災受信機＃１に対する応答のデータしか含まれていない。火災受信機＃２が火災信号を送信した後も、火災受信機＃３は火災受信機＃１が送信した火災信号に対して応答信号を送信しているため、火災受信機＃２が送信した火災信号に対して応答信号を送信している。一方、火災受信機＃４及び火災受信機＃５は、火災受信機＃２が火災信号を送信した後も、火災受信機＃１が送信した火災信号に対して応答信号を送信していなかったので、火災受信機＃４及び火災受信機＃５は、火災受信機＃１が送信した火災信号に対する応答信号を破棄し、新たに火災受信機＃１及び火災受信機＃２が送信した火災信号に対する応答信号を作成して送信している。そのため、この場合、８個の信号（火災信号２、応答信号６）がＬＡＮ上に送信されることになる。なお、５つの火災受信機のうち、２つの火災受信機から火災信号が送信された場合、最少で７個の信号（火災信号２、応答信号５）がＬＡＮ上に送信されることになるとともに、応答したい信号の送信元についての情報のデータを応答信号内に設定している。
【００１４】
図２（３）の場合は、５台の火災受信機が送信先として全ての火災受信機を指定するいわゆるグローバルに送信した火災信号に対して、ＬＡＮ上で送信される最少の信号数を表している。最少の場合には、応答信号は火災受信機の数しか送信されない。図２（３）の場合、１０個の信号（火災信号５、応答信号５）がＬＡＮ上に送信されることになる。
【００１５】
火災信号を受信した火災受信機は、応答信号を送信すると共に、端末機器群の火災報知器を動作させてベルを鳴動させ、火災等を報知する。
【００１６】
以上のように第１の実施の形態においては、火災受信機＃１〜＃５は自分以外の火災受信機から送信された火災信号に対して応答信号を送信するが、その際、複数の火災受信機から火災信号が送信されると、それらの応答信号をまとめてグローバルに送信するようにしたので、ＬＡＮ１０上でやりとりする信号の数を少なくすることができ、各火災受信機は煩雑な処理を行わなくてもよくなる。
【００１７】
実施形態２．
なお、上述の第１の実施の形態では、火災報知システムについて適用する例について示したが、火災報知システムに限定されるものではない。例えば、ポーリングを利用するシステムについても適用できる。
【００１８】
【発明の効果】
以上のように本出願の火災報知システムによれば、各火災受信機で、別の火災受信機から送信された火災信号に対する応答信号を送信する前に、さらに他の火災受信機からも火災信号が送信されると、共通して応答できる応答信号を１つ作成してＬＡＮを介して送信するようにしたので、最も効率がよければ各火災受信機は、１つの応答信号で他の全ての火災信号に対する応答を行え、ＬＡＮ上でやりとりされる信号の量を減らすことができる。特に、接続されている火災受信機の数が多いほど有効なものとなる。そのため火災受信機では煩雑な処理を行わなくてもよくなる。
【００１９】
また、本出願の火災報知システムによれば、受信した火災信号に基づいて火災受信機が応答信号を送信する際に、その応答信号の送信先としてＬＡＮ接続された全ての火災受信機を指定し、その信号には、火災信号を送信してきた送信元の火災受信機のデータを含ませておくようにしたので、火災信号の発信元の火災受信機が応答信号を受信した場合には、自己の火災信号に対する応答信号かどうかを判断することができ、応答しない火災受信機があった場合には、あらためて火災信号を送信する等の対処を行うことができる。
【図面の簡単な説明】
【図１】本発明の第１の実施の形態に係る火災報知システムを表す図である。
【図２】ＬＡＮ上に送信される信号を表す図である。
【図３】従来のＬＡＮ上に送信される信号を表す図である。
【符号の説明】
＃１、＃２、＃３、＃４、＃５  火災受信機
１０  ＬＡＮ
１００−＃１〜１００−＃５  端末機器群
【図１】
0003849754.tif 000002
【図２】
0003849754.tif 000003
【図３】
0003849754.tif 000004